(57)【要約】【課題】携帯に便利で、シミが発生した場合に即座に取り出して使用することができ、しかも、所望量のシミ取り液を注出することが可能で、注出口から液だれを起こすおそれがないペン型シミ取り具を提供することを課題とする。【解決手段】シミ取り液を貯留するボトル１と、ボトル１にネジ付けられる筒状ジョイント３と、筒状ジョイント３に嵌合されるバルブケース４と、バルブケース４内に組み込まれるバルブユニットと、バルブケース４の先端縮径部５内に差し込まれる中空軸２２とヘッド２１を有していて、中空軸２２にバルブユニットの弁体１６のペン先嵌入部１８が嵌入されるペン先７と、ペン先７及びバルブケース４に被装されるキャップ８とから成る。【選択図】図２
2018187253.tif 000002
【特許請求の範囲】
【請求項１】
シミ取り液を貯留するボトルと、前記ボトルにネジ付けられる筒状ジョイントと、前記筒状ジョイントに嵌合されるバルブケースと、前記バルブケース内に組み込まれるバルブユニットと、前記バルブケースの先端縮径部内に差し込まれる中空軸とヘッドを有していて、前記中空軸に前記バルブユニットの弁体のペン先嵌入部が嵌入されるペン先と、前記ペン先及び前記バルブケースに被装されるキャップとから成るペン型シミ取り具。
【請求項２】
前記ペン先は、肥大化されたヘッドと中空軸とから成り、前記中空軸が前記バルブケースの前記縮径部内に挿入され、前記中空軸の下部中空部内に、前記弁体のペン先嵌入部が挿入される、請求項１に記載のペン型シミ取り具。
【請求項３】
前記中空軸の外周面に縦溝が形成され、開弁時に前記縦溝内に前記シミ取り液が流入して前記ペン先のヘッドに達する、請求項２に記載のペン型シミ取り具。
【請求項４】
前記縦溝の深さや幅を変えることにより、前記シミ取り液の供出量の調整が可能である、請求項３に記載のペン型シミ取り具。
【発明の詳細な説明】
【技術分野】
【０００１】
本発明はペン型シミ取り具に関するものであり、より詳細には、携帯に便利で、被服等に付着したシミを外出先においても手軽に処置することができるペン型シミ取り具に関するものである。
【背景技術】
【０００２】
食べこぼし等の汚れが衣服に付着してシミが発生することがあり、その場合そのシミ取りが必要となる。このシミ取りは一般に、生地の裏側にタオル等を敷き、シミの発生箇所にしみ抜き剤を滲み込ませる等の方法で行われる。シミは、時間が経つと空気と反応して黄ばみ（変色）を発生することが多いため、シミ取りは、できるだけ速やかに行う必要がある。
【０００３】
従来、このシミ取りを行うためのシミ取りセットが提案されている（特許文献１：特開２００８-１９６０７６号公報）。この提案に係るシミ取りセットは、血液用、化粧料用等３種類のシミ取り液を個別に充填した３つの容器をポリ袋に収納して携帯可能にしたものである。
【先行技術文献】
【特許文献】
【０００４】
【特許文献１】特開２００８-１９６０７６号公報
【発明の概要】
【発明が解決しようとする課題】
【０００５】
上記提案のシミ取りセットにおけるシミ取り液を充填する各容器は、単に、一端にキャップで閉塞される注出口を有する可撓性プラスチック容器であるに過ぎず、シミ取り液の注出は、可撓性の容器を指先で押圧して行うものである。従って、この容器によった場合は、注出量の調整等を行うことが難しく、また、注出口から液だれを起こすおそれもある。
【０００６】
本発明はこのような問題を解決するためになされたもので、携帯に便利で、シミが発生した場合に即座に取り出して使用することができ、しかも、所望量のシミ取り液を注出することが可能で、注出口から液だれを起こすおそれがないペン型シミ取り具を提供することを課題とする。
【課題を解決するための手段】
【０００７】
上記課題を解決するための請求項１に記載の発明は、シミ取り液を貯留するボトルと、前記ボトルにネジ付けられる筒状ジョイントと、前記筒状ジョイントに嵌合されるバルブケースと、前記バルブケース内に組み込まれるバルブユニットと、前記バルブケースの先端縮径部内に差し込まれる中空軸とヘッドを有していて、前記中空軸に前記バルブユニットの弁体のペン先嵌入部が嵌入されるペン先と、前記ペン先及び前記バルブケースに被装されるキャップとから成るペン型シミ取り具である。
【０００８】
一実施形態においては、前記ペン先は、肥大化されたヘッドと中空軸とから成り、前記中空軸が前記バルブケースの前記縮径部内に挿入され、前記中空軸の下部中空部内に、前記弁体のペン先嵌入部が挿入される。
【０００９】
一実施形態においては、前記中空軸の外周面に縦溝が形成され、開弁時に前記縦溝内に前記シミ取り液が流入して前記ペン先のヘッドに達する。また、前記縦溝の深さや幅を変えることにより、前記シミ取り液の供出量の調整が可能である。
【発明の効果】
【００１０】
本発明に係るペン型シミ取り具は上記構成であるので、簡易な構成で携帯に便利であり、シミ発生時には、キャップを外してペン先を生地に対してタッピング動作するだけで直ちに処置でき、シミ取り液の注出量はタッピング回数により調整でき、また、バルブユニットが組み込まれているので、液だれのおそれがないという効果がある。
【図面の簡単な説明】
【００１１】
【図１】本発明に係るペン型シミ取り具の構成を示す斜視図及び分解斜視図である。
【図２】本発明に係るペン型シミ取り具の構成を示すキャップをした状態と外した状態の縦断面図である。
【図３】本発明に係るペン型シミ取り具における筒状ジョイントの構成を示す平面図及び縦断面図である。
【図４】本発明に係るペン型シミ取り具におけるバルブケースの構成を示す正面図及び縦断面図である。
【図５】本発明に係るペン型シミ取り具における弁体の構成を示す正面図、Ａ−Ａ線断面図及び平面図である。
【図６】本発明に係るペン型シミ取り具におけるペン先の構成を示す正面図、側面図、Ａ−Ａ線断面図、及び、底面図である。
【発明を実施するための形態】
【００１２】
本発明を実施するための形態について、図面を参照しつつ説明する。本発明に係るペン型シミ取り具は、シミ取り液を貯留するボトル１と、ボトル１にネジ付けられる筒状ジョイント３と、筒状ジョイント３に嵌合されるバルブケース４と、バルブケース４内に組み込まれるバルブユニットと、バルブケース４の先端縮径部５内に差し込まれて下部にバルブユニットの弁体１６のヘッドが差し込まれるペン先７と、キャップ８とから成る。これらの各構成部は、バルブユニットの一部を除き、いずれも樹脂成形品である。
【００１３】
ボトル１は一般的な円筒状容器で、上端部に筒状ジョイント３をねじ付けるためのオネジ部２を有する。筒状ジョイント３は、ボトル１とバルブケース４を連結するための筒状体で、内周面下部にボトル１のオネジ部２をねじ込むためのメネジ部９を有する（図３（Ｂ）参照）。筒状ジョイント３内の中間部に、通液孔１１を複数設けた仕切り板１０が配設され、仕切り板１０の中央部に支持筒１２が立設される。また、筒状ジョイント３の内周面に、適宜リブ１３が形成される。
【００１４】
バルブケース４はその肩部の上に縮径部５を備え、筒状ジョイント３内に嵌入される下半部外周面に、適宜突環１４ａや凹凸条１４ｂが形成される（図４参照）。
【００１５】
バルブユニットは、縮径部５内奥端の液供出口１５を開閉する弁体１６と、常時液供出口１５を閉じるように弁体１６を付勢するリターンスプリング１７とから成る。弁体１６は、スカート部１８と、スカート部１８の上面から突出するペン先嵌入部１９と、スカート部１８の内天面から下方に突出する摺動杆部２０とから成る（図２、５参照）。スカート部１８の上半部はテーパ面にされ、下半部外周面に、外方に突き出る翼部２１が複数（図では３箇所）形成される。翼部２１はバルブケース４の内周面に沿って摺動し、摺動杆部２０は支持筒１２内に摺動可能に挿入される。
【００１６】
リターンスプリング１７は支持筒１２に巻装され、その底面は仕切り板１０に受け止められ、その頭面は弁体１６のスカート部１８の底面に当接して押え止められる。
【００１７】
ペン先７は、肥大化されたヘッド２１と中空軸２２とから成り、中空軸２２がバルブケース４の縮径部５内に上下動可能に挿入され、中空軸２２の下部中空部２４内に弁体１６のペン先嵌入部１９が嵌入される（図２参照）。中空軸２２の外周面には、通例、一対の縦溝２３が形成される（図６参照）。なお、キャップ８の外周面の滴状部は、単なる意匠的デザインである。
【００１８】
上記構成において、ボトル１内のシミ取り液は、使用に際してボトル１を逆さにすることにより、筒状ジョイント３内の通液孔１１を通ってバルブケース４内に流入する。平時、即ち、ペン先７が押し込まれていない状態のときは、弁体１６はリターンスプリング１７よって常時押し上げられ、そのスカート部１８のテーパ面が液供出口１５の縁に当接することで、液供出口１５が閉じられている（図２（Ａ）参照）。
【００１９】
そして、使用時に逆さにしてシミ取り対象部分を叩くと、リターンスプリング１７の付勢力に抗してペン先７が押し込まれることにより、スカート部１８のテーパ面が液供出口１５の縁から離れて液供出口１５が開放される。それに伴い、シミ取り液が縮径部５並びに中空軸２２外周面の縦溝２３内に流入し、そこからヘッド２１全体に伝っていく（図２（Ｂ）参照）。その後ペン先７を浮かせると、弁体１６がリターンスプリング１７に付勢されて液供出口１５を閉塞する。
【００２０】
かくして使用に際し、ペン先７のヘッド２１を生地のシミ部分及びその周辺部を叩くたびに、適量のシミ取り液を供出させることができる。なお、縦溝２３の深さや幅を変えることにより、シミ取り液の供出量を変えることができる。シミ取り処理は、このようにペン先７のヘッド２１で対象部分を叩く動作を反復し、シミ取り液を対象部分にしみ込ませることにより行う。
【００２１】
本発明に係るペン型シミ取り具は上記構成であるため、筆記具の如き感覚で携帯でき、シミが付いた場合は、取り出してキャップを外し、裏側にハンカチ等を配した後シミ部分並びにその周辺部を叩くだけで、直ちにシミ取り処理を行うことができる非常に有用なものであり、その産業上の利用可能性は大である。
【符号の説明】
【００２２】
１        ボトル
２        オネジ部
３        筒状ジョイント
４        バルブケース
５        縮径部
７        ペン先
８        キャップ
９        メネジ部
１０      仕切り板
１１      通液孔
１２      支持筒
１３      リブ
１４ａ    突環
１４ｂ    凹凸条  
１５      液供出口
１６      弁体
１７      リターンスプリング
１８      スカート部
１９       ペン先嵌入部
２０       摺動杆部
２１       ヘッド
２２       中空軸
２３       縦溝
２４       中空部
【図１】
2018187253.tif 000003
【図２】
2018187253.tif 000004
【図３】
2018187253.tif 000005
【図４】
2018187253.tif 000006
【図５】
2018187253.tif 000007
【図６】
2018187253.tif 000008